(57)【要約】【課題】  異径のキャップを簡単に開けることができること。【解決手段】  このキャップオープナー１００は、勾玉形状の本体１と、当該本体１の下側であって曲率の小さい内側近傍に形成され且つその周囲にすべり止めが設けられた円柱突起３と、前記本体１の下側であって曲率の大きい外側に沿って形成され且つ前記円柱突起３の周面からの間隔が次第に狭くなる凹曲面９を有するリブ８とを備えている。ユーザは、キャップオープナー１００を持ち、キャップＣを円柱突起３とリブ８との間に入れ、キャップＣを円柱突起３の周面とリブ８の凹曲面９との間で挟み、ボトルをしっかり持って本体１を回す。キャップＣを本体１に挟んだ状態で実質的にキャップＣの径が大きくなったのと同じ効果が得られているので、小さな力でキャップＣを簡単に開けることができる。【選択図】  図１
2011057240.tif 000002
【特許請求の範囲】
【請求項１】
片手で持ち得る大きさの本体と、
第一壁面を有する第一突起と、
第一壁面に略対向し、前記第一壁面との間隔が次第に狭くなる第二壁面を有する第二突起と、
を備えたことを特徴とするキャップオープナー。
【請求項２】
前記第一壁面にゴム、微小凹凸等の滑り止め面を設けたことを特徴とする請求項１に記載のキャップオープナー。
【請求項３】
前記第一壁面は一定径の凸曲面であり、
前記第二壁面は前記凸曲面との間隔が次第に狭くなる凹曲面であることを特徴とする請求項１または２に記載のキャップオープナー。
【請求項４】
第一壁面と第二壁面との間に円筒状のキャップが挟まった場合に、第一壁面とキャップとの接点を通る接線と、第二壁面とキャップとの接点を通る接線との角度が前記キャップの径にかかわらず一定であることを特徴とする請求項１〜３のいずれか一つに記載のキャップオープナー。
【請求項５】
更に、本体に側面につば状の突起が設けられていることを特徴とする請求項１〜４のいずれか一つに記載のキャップオープナー。
【請求項６】
勾玉形状の本体と、
当該本体の下側であって曲率の小さい内側近傍に形成され且つその周囲にすべり止めが設けられた円柱突起と、
前記本体の下側であって曲率の大きい外側に沿って形成され且つ前記円柱突起の周面からの間隔が次第に狭くなる凹曲面を有するリブと、
を備えたことを特徴とするキャップオープナー。
【発明の詳細な説明】
【技術分野】
【０００１】
この発明は、多種の異径のキャップを開けることができるキャップオープナーに関するものである。
【背景技術】
【０００２】
従来の径の異なるキャップを開けるための器具としては、特許文献１に記載のキャップ開封器具が知られている。このキャップ開封器具は、円形の係合孔一部を切り欠いて、その切り欠いた部分に２つの握り柄を設け、係合孔の内側にはローレットが形成された構造である。係合孔は、軸方向の一方側が大径、他方側が中径となる。握り柄を開いて前記係合孔を広げ、そこに大径のキャップを挿入し、再び握り柄を閉じてキャップを係合孔で保持する。この状態で握り柄を握ってキャップを強く掴み、当該握り柄を回すと、簡単にキャップを開けることができる。また、キャップ開封器具を裏返して用いれば、中径のキャップに適用できる。
【０００３】
しかしながら、上記従来のキャップ開封器具は、２又は３種類の径のキャップを開けることしかできないという問題点がある。
【先行技術文献】
【特許文献】
【０００４】
【特許文献１】特開２００７−０９１２７２号公報
【発明の概要】
【発明が解決しようとする課題】
【０００５】
この発明の解決すべき課題は、多種の異径のキャップを開けることができるようにする点である。
【課題を解決するための手段】
【０００６】
この発明のキャップオープナーは、片手で持ち得る大きさの本体と、第一壁面を有する第一突起と、第一壁面に略対向し、前記第一壁面との間隔が次第に狭くなる第二壁面を有する第二突起と、を備えたことを特徴とする。
【０００７】
また、この発明のキャップオープナーは、上記発明において、前記第一壁面にゴム、微小凹凸等の滑り止め面を設けたことを特徴とする。
【０００８】
また、この発明のキャップオープナーは、上記発明において、前記第一壁面は一定径の凸曲面であり、前記第二壁面は前記凸曲面との間隔が次第に狭くなる凹曲面であることを特徴とする。
【０００９】
また、この発明のキャップオープナーは、上記発明において、第一壁面と第二壁面との間に円筒状のキャップが挟まった場合に、第一壁面とキャップとの接点を通る接線と、第二壁面とキャップとの接点を通る接線との角度が前記キャップの径にかかわらず一定であることを特徴とする。
【００１０】
また、この発明のキャップオープナーは、上記発明において、更に、本体に側面につば状の突起が設けられていることを特徴とする。
【００１１】
また、この発明のキャップオープナーは、勾玉形状の本体と、当該本体の下側であって曲率の小さい内側近傍に形成され且つその周囲にすべり止めが設けられた円柱突起と、前記本体の下側であって曲率の大きい外側に沿って形成され且つ前記円柱突起の周面からの間隔が次第に狭くなる凹曲面を有するリブと、を備えたことを特徴とする。
【図面の簡単な説明】
【００１２】
【図１】この発明の実施の形態に係るキャップオープナーを示す平面図である。
【図２】この発明の実施の形態に係るキャップオープナーを示す正面図である。
【図３】この発明の実施の形態に係るキャップオープナーを示す背面図である。
【図４】この発明の実施の形態に係るキャップオープナーを示す左側面図である。
【図５】この発明の実施の形態に係るキャップオープナーを示す右側面図である。
【図６】この発明の実施の形態に係るキャップオープナーを示す底面図である。
【図７】異径のキャップを挟んだ場合を示す説明図である。
【図８】異径のキャップを挟んだ場合を示す説明図である。
【発明を実施するための形態】
【００１３】
図１は、この発明の実施の形態に係るキャップオープナーを示す平面図である。また、図２は図１に示したオープナーの正面図、図３は背面図、図４は左側面図、図５は右側面図、図６は底面図である。このキャップオープナー１００は樹脂製の一体成型品であり、勾玉形状の本体１と、当該本体１の下側であって曲率の小さい側２近傍には円柱突起３が設けられ、その周囲に滑り止め面としてゴム材４が圧入されている。このゴム材と円柱突起は周方向に滑らないように、軸方向に形成した突起５と溝６により拘束されている。本体１が勾玉形状となるのは、本体１を掴んだときに親指が曲率の小さい側２にフィットすると共に他の指で外側の曲率の大きい側７を持ちやすいためである。本体１の寸法は長手方向が８ｃｍ〜１０ｃｍ程度である。
【００１４】
また、前記本体１の下側には、勾玉形状の曲率の大きい側７に沿ってリブ８が設けられる。このリブ８は、前記円柱突起３の周面（実際にはゴム材４の周面である第一壁面）からの間隔が次第に狭くなる凹曲面９（第二壁面）を有する。即ち、リブ８は勾玉形状の本体１の曲率が大きい側７の下に位置し、この外側形状に沿って成形されたものであり、少なくともリブ８の外側形状は勾玉形状の曲率の大きい側７に沿った形状とすればよいが、リブ８の内側となる凹曲面９は円柱突起３の周面を基準として定義されることになる。また、リブ８の凹曲面９は樹脂面のままでありゴム材は設けない。
【００１５】
また、このキャップオープナー１００は、キャップを円柱突起３とリブ８との間に挟んだとき、どのような径を有するキャップでも一定の角度を持って挟むことができる。図７は、異径のキャップを挟んだ場合を示す説明図である。図７中、異径の各キャップを点線で示す。このように、円柱突起３の周面とリブ８の凹曲面９との間に円筒状のキャップＣが挟まった場合に、円柱突起３の周面とキャップＣとの接点を通る接線５１と、リブ８の凹曲面９とキャップＣとの接点を通る接線５２との角度が前記キャップＣの径にかかわらず一定となるようにする。例えばこの実施の形態では２２度である。このようにすれば、キャップ径にかかわらず、キャップＣを確実に挟んで開くことができる。特に、リブ８の凹曲面９を円柱突起３の周囲に対して回り込むように形成することで、円柱突起３の周面を最大限に用いることができ（本実施の形態では全周面の３／４を用いることができ）、適用できるキャップ径の幅を大きくできる。
【００１６】
例えば、図８に示すように、カン飲料（コーヒーボトル等）の大きめのキャップＣ１、５００ｍｌのペットボトルのキャップＣ２、ゼリードリンクを封入したアルミ包装のキャップＣ３、図示しないが薬のキャップ等に適用できる。なお、図８中、異径の各キャップを点線で示す。同図に示すように、いずれの径のキャップＣでも、キャップオープナーの円柱突起３とリブ８との間に挟むことができる。
【００１７】
本体１の外側には、金属製の鍔を設けても良い（図示省略）。この鍔は長方形であり、本体の外側に形成した鍔穴１０に対して差し込んで固定する。この鍔は、缶ジュースや缶コーヒー等のプルトップを開くとき、指や爪をプルトップの先に引掛け難いことに鑑みて設けられたものであり、本体１を握って当該鍔をプルトップの下に差し込んで先端を缶の上面に当ててこれを支点として引き上げる。これにより、缶のプルトップを容易に開けることができるようになる。
【００１８】
次に、このキャップオープナー１００の使用方法について説明する。このキャップオープナー１００は、円柱突起３及びリブ８が下に向くように前記本体１を手のひらで包むようにして持つ。そして、キャップＣを円柱突起３とリブ８との間に入れ、キャップＣ上面が本体１の裏面１１に当たった状態で本体１をわずかに滑らせながら、キャップＣが円柱突起３の周面とリブ８の凹曲面９との間で挟まれるまで移動させる。キャップＣをある程度強く挟んだら、当該キャップがついたボトルをしっかり持って本体１を回す。キャップＣは円柱突起３のゴム材４により滑り止めされる一方でリブ８の凹曲面９では滑り、本体１の回転で円柱突起３とリブ８との間に食い込んでより強固に挟まれる。そして、キャップＣを本体１に挟んだ状態で、実質的にキャップＣの径が大きくなったのと同じ効果が得られるので、小さな力でキャップＣを簡単に開けることができる。
【００１９】
また、本体１の上面１２は凸面となりユーザが持ちやすくなっている。更に、本体１の表面には様々な色や柄をつけることができるし、本体１自体を半透明にしても良い。本体１は機械加工したアルミニウム製としても良い。また、上記円柱突起３の周囲には、上記ゴム材４に代えて、微小な凹凸を多数形成しても良い。
【００２０】
また、円柱突起３の有する周面の実質的にキャップＣを挟むことになる部分と、リブ８の凹曲面９を有していれば、本体形状は勾玉形状に限定されない。
【符号の説明】
【００２１】
１００  キャップオープナー
１  本体
３  円柱突起
４  ゴム材
８  リブ
９  凹曲面
【図１】
2011057240.tif 000003
【図２】
2011057240.tif 000004
【図３】
2011057240.tif 000005
【図４】
2011057240.tif 000006
【図５】
2011057240.tif 000007
【図６】
2011057240.tif 000008
【図７】
2011057240.tif 000009
【図８】
2011057240.tif 000010